(57)【要約】本発明は、細長い支持部と花茎を掛けるための一連のフック手段とを有し、支持部の両側にある一連のフック手段が互いに反対側に斜め方向に延設されている長茎花の支持体に関する。一連のフック手段は、互いに斜めに配置されている。一連のフック手段が斜め位置にあることにより、フックに掛けられた花の茎が保護されるための空洞ができる。
2008531044.tif 000002
【特許請求の範囲】
【請求項１】
長細い支持部（１）と、前記支持部（１）の両側にあり、互いに反対方向に斜めに伸び、花茎を掛けることができる一連のフック手段（２、５；１２）とを有する長茎花用の花支持体であって、前記一連のフック手段（２、５；１２）が、互いに斜め方向に位置することを特徴とする花支持体。
【請求項２】
支持部（１）に沿って伸びる空洞（４）が設けられ、前記空洞（４）が、導入された花の花茎を受け止めるのに適した、請求項１記載の花支持体。
【請求項３】
支持部（１）が、互いに角度をもって伸びる２つの表面（７、８）を有し、空洞（４）が前記２つの表面の間の部分によって定義される、請求項２記載の花支持体。
【請求項４】
各一連のフック手段（２、５）が、それぞれの受入れ開口部（３）に向けて開いた花茎導入スロット（２）を有し、前記花茎導入スロット（２）が、支持部（１）の長手方向において互いに離れて位置し、かつ、支持部（１）の長手側からそれぞれ伸びる羽（５）と羽（５）との間の部分によって定義される、請求項３記載の花支持体。
【請求項５】
ボール状の窪み（９）が、花の下部を受け止めるための各受入れ開口部（３）の周囲の表面（７、８）に設けられた、請求項４記載の花支持体。
【請求項６】
花茎導入スロット（２）が、２以上の受入れ開口部（３、３’）に開いた、請求項４又は５記載の花支持体。
【請求項７】
支持部（１）の端部に脚部（１０）が設けられた、請求項１〜６いずれか記載の花支持体。
【請求項８】
羽（５）が、脚部（１０）から遠ざかる方向に斜めに配置された、請求項７に請求項４、５又は６を組み合わせて記載の花支持体。
【請求項９】
互いに連結する２つの花支持体の一連のフック手段（２、５）が互いに向き合うように、前記２つの花支持体を連結するための連結手段（６）を備えた、請求項１〜８いずれか記載の花支持体。
【請求項１０】
連結手段（１６）が、支持部（１）の両端部に位置する、請求項１〜９いずれか記載の花支持体。
【請求項１１】
支持部及びフック手段（２、５）が、シート状又はプレート状の材料から一体成型された、請求項１〜１０いずれか記載の花支持体。
【請求項１２】
材料が厚紙を含む請求項１１記載の花支持体。
【請求項１３】
支持部（１）が、互いに結合し隣り合って位置する２本のロッド（１１）を有し、各ロッド（１１）が一連のフック（１２）を備えた、請求項１記載の花支持体。
【請求項１４】
花を受け止めるための各受入れ開口部の周囲に伸びるそれぞれの表面（７、８）に、ボール状の窪み（９、９’）が設けられた、請求項６記載の花支持体。
【発明の詳細な説明】
【技術分野】
【０００１】
本発明は、細長い支持部と、花茎を掛けることができる一連のフック手段とを備えた長茎花用の花支持体（flower support）に関する。かかる一連のフック手段は、支持部の両側で反対方向に斜めに伸びている。
【背景技術】
【０００２】
このような花支持体は、オランダ特許第１０１５８４４号に開示されている。この先行技術の花支持体は平坦なシート状であり、長手方向両側の２つの端部にスロットが設けられ、ガーベラなどの長茎花がそれぞれのスロットに掛けられるようになっている。花がフックに掛けられた花支持体は、次に箱等の容器に収納され、その後の保存及び輸送に適したものとなる。
【０００３】
上記先行技術による花支持体の欠点は、フックに掛けられた花の茎が、望ましくない負荷に対して十分に保護されないという事実に起因している。この点については、茎が箱の中でつぶれる危険性もあり、その場合、配送されたときの製品の品質が著しく損なわれる。さらに、花支持体が花頭の形にあった形状になっていないが、これは、花頭が適切に保護されていないことを意味する。
【特許文献１】オランダ特許第１０１５８４４号
【発明の開示】
【発明が解決しようとする課題】
【０００４】
本発明の課題は、上述のタイプの花支持体であって、各手段によって花をよりよく保護できる花支持体を提供することにある。かかる課題は、一連のフック手段を互いに斜めに配置することによって解決される。
【課題を解決するための手段】
【０００５】
一連のフック手段が互いに斜めに配置されることにより、フックに掛けられた花の茎が十分に保護される空間が形成される。この一連のフックにより、花、特にその茎が、圧力や他の負荷の影響を受けることがなくなる。圧力がかかったとしても、その圧力は一連のフック手段によって吸収される。
【０００６】
特に、支持部に沿って伸びる空洞が付与されるが、その空洞は、導入された花の花茎を受けるのに適している。この点については、支持部が、互いに角度をもって延設される面を２面有していてもよく、これらの面と面の間が空洞として定義される。
【０００７】
一連のフック手段のそれぞれは、それぞれに対応する受入れ開口部（reception apertures）で開口する花茎導入スロットを備えていてもよく、支持部の縦方向に沿って互いに離れて位置し、支持部の長手方向側からそれぞれ伸びる羽と羽の間が前記花茎導入スロットとして定義される。花をよりよく支持するため、受入れ開口部の周囲の表面に花の底部側を受け止めるボール状の窪みを設けてもよい。また、花茎導入スロットは、２つ以上の上記受入れ開口部に開いていてもよい。かかるスロットのさらなる利点は、フックに掛けられた花から花支持体を比較的容易に引き去ることができ、全ての花が１回の動きで自由になる点である。
【０００８】
上向きの状態で輸送するため、支持部の下端に脚部を設けることができる。その場合、羽は、脚部から離して斜め上向きに配置する。
【０００９】
さらなる実施態様として、互いに連結する花支持体において一連のフック手段が向き合うように、２つの花支持体を連結するための連結（coupling）手段を設けてもよい。これらの連結手段は、支持部の両端部に設けることができる。
【００１０】
第一の実施態様として、例えば厚紙等のシート状又はプレート状材料の一体成型体（unity）として支持部及びフック手段を作製してもよい。支持部の位置に厚紙で形成された空洞には、フックに掛けられた花の茎をよく保護された状態で保存することができる。
【００１１】
第二の実施態様として、支持部は、互いに結合し（connected）、隣接して位置する２本のロッドを有していてもよく、各ロッドには一連のフックが付与されている。この場合も茎は、いわば茎の両端を取り囲む、斜め向きの一連のフックによって比較的よく保護されている。
【００１２】
図面に示すいくつかの実施態様に基づき、本発明をさらに以下に説明する。
【００１３】
図１に示される本発明の花支持体の第１の実施態様は、細長い支持部１を有し、その支持部には、全体として「２」で示されるフック手段が設けられている。フック手段２は、２枚の羽５の間の部分としてそれぞれ定義される花茎導入スロット２を備えている。各々の花茎導入スロット２は、受入れ開口部（reception opening）３を有し、この開口部にガーベラ等の茎の上部を差し込むことができる。それにより、花頭が、受入れ開口部３の周囲に設けられたボール状の窪み９に収まる。支持部の下部には、脚部１０が設けられている。支持部上部には、花支持体を吊り下げることができるフック６が備わっている。
【００１４】
図２の上面図に示されるように、支持部１の両側に位置するフック手段２の一連のフック１３及び１４は互いに斜めに伸びている。したがって、これら一連のフック間に空洞４が形成され、この空洞にフックに掛けられた花の茎を安全に収容することができる。図２の上面図には、脚部１０の近くに連結（coupling）手段１６が設けられている様子が示されている。この連結手段によって、２つの花支持体を互いに連結させることができる。上部では、フック６によるフック手段により花支持体を互いに連結することができる。
【００１５】
図３は、箱１６に収められた複数の花支持体１５を示す図である。一連のフック手段２が互いに斜め方向に配置されているため、茎が空洞４に収まり、よく保護される。一連のフック手段は、多様な方法により箱の中で係合できる。図４には、運搬時にかさばらないよう、空洞を利用して一連の支持体１５を別の支持体内に次々に積み重ねることができることが示されている。
【００１６】
図５の実施態様では、フック６及び連結手段１６によって一連のフック１３と１４とがそれぞれ向き合うように、花支持材１５を配置することができる。それにより、互いに向き合う花支持体１５の両側に花茎用の空洞が供される。
【００１７】
図６に示すように、「１８」として全体像が示されている水用容器の支持部１７上に、互いに結合して対になったさらに多くの花支持体１５を収めることができる。花の茎は、２つの花支持体１５のそれぞれの間に形成された空洞を通じ、水用容器１８内の水に向かって吊り下げられる。この点については、オランダ特許第１０１２１６４号及び同第１０１９２２３号に開示されているレイアウトを適用することもできる。
【００１８】
図７の実施態様では、花茎導入スロットの各々に２つの受入れ開口部３、３’があり、各開口部には、ボール状の窪み９、９’が設けられている。
【００１９】
図８の実施態様は、折線１９が利用できる花支持体１５に関する。配置手段２０、２２により、２つのフック手段１３と１４とが互いに斜めの関係になるように配置されている。
【００２０】
図９の実施態様では、ロッド１１を２本有する花支持体が示されている。ロッドは、結合（connection）ピース２２によって頂部で互いに結合している。各ロッドには、一連のフック１２が設けられ、これらフックは上面図でみると互いに斜めに向き合うように配置されている。
【図面の簡単な説明】
【００２１】
【図１】本発明の花支持体の第１の実施態様を示す図である。
【図２】図１の支持体の上面図である。
【図３】包装箱に収められた２つの花支持体を示す図である。
【図４】いくつもの積み重ねられた花支持体を示す図である。
【図５】２つの花支持体を組み合わせた図である。
【図６】図５の組み合わせられた花支持体が、水用容器に収められた図である。
【図７】図１の花支持体の別の実施態様である。
【図８】本発明の花支持体の第２の実施態様である。
【図９】本発明の花支持体の第３の実施態様である。
【図１】
2008531044.tif 000003
【図２】
2008531044.tif 000004
【図３】
2008531044.tif 000005
【図４】
2008531044.tif 000006
【図５】
2008531044.tif 000007
【図６】
2008531044.tif 000008
【図７】
2008531044.tif 000009
【図８】
2008531044.tif 000010
【図９】
2008531044.tif 000011
【手続補正書】
【提出日】平成18年11月15日(2006.11.15)
【手続補正１】
【補正対象書類名】特許請求の範囲
【補正対象項目名】請求項１
【補正方法】変更
【補正の内容】
【請求項１】
長細い支持部（１）と、前記支持部（１）の両側にあり、互いに反対方向に伸び、花茎を掛けることができる一連のフック手段（２、５；１２）とを有する長茎花用の花支持体であって、前記一連のフック手段（２、５；１２）が、互いに斜め方向に位置することを特徴とする花支持体。
【手続補正書】
【提出日】平成19年1月29日(2007.1.29)
【手続補正１】
【補正対象書類名】明細書
【補正対象項目名】０００１
【補正方法】変更
【補正の内容】
【０００１】
本発明は、細長い支持部と、花茎を掛けることができる一連のフック手段とを備えた長茎花用の花支持体（flower support）に関する。かかる一連のフック手段は、支持部の両側で反対方向に伸びている。
【国際調査報告】
2008531044.tif 000012
2008531044.tif 000013
2008531044.tif 000014